(57)【要約】【課題】複数の扁平管を備えて該複数の扁平管が異温度の流体が流れる複数の熱交換部に区分された熱交換器において、相隣る熱交換部間の流体の熱交換による性能低下を抑制する。【解決手段】熱交換器は、側面が対向するように平行に配置されて内部を流体が流れる複数の扁平管（33）と、相隣る扁平管（33）の間を空気が流れる複数の通風路に区画する複数のフィン（36）とを備えている。複数の扁平管（33）は、異なる温度の流体が流れる複数の熱交換部に区分されている。複数のフィン（36）は、相隣る扁平管（33）の間に位置し、両扁平管（33）に対向する両端が両扁平管（33）の双方に接合される接合フィン部（38）と、両扁平管（33）に対向する両端のうちの少なくとも一端が対向する扁平管（33）に接合されない非接合フィン部（39）とを備えている。非接合フィン部（39）を各熱交換部の間の領域に設ける。【選択図】図９
2012193872.tif 000002
【特許請求の範囲】
【請求項１】
側面が対向するように平行に配置されて内部を流体が流れる複数の扁平管（33）と、相隣る扁平管（33）の間を空気が流れる複数の通風路（44）に区画する複数のフィン（36）とを備えた熱交換器であって、
上記複数の扁平管（33）は、異なる温度の流体が流れる複数の熱交換部（41,42）に区分され、
上記複数のフィン（36）は、相隣る扁平管（33）の間に位置し、両扁平管（33）に対向する両端が両扁平管（33）の双方に接合される接合フィン部（38）と、両扁平管（33）に対向する両端のうちの少なくとも一端が対向する扁平管（33）に接合されない非接合フィン部（39）とを備え、
上記非接合フィン部（39）は、上記各熱交換部（41,42）の間の領域の少なくとも一部に設けられている
ことを特徴とする熱交換器。
【請求項２】
請求項１において、
上記複数の熱交換部（41,42）は、主熱交換部（41）と補助熱交換部（42）とより構成され、
上記主熱交換部（41）の扁平管（33）と上記補助熱交換部（42）の扁平管（33）とは、一端が連通して上記主熱交換部（41）と上記補助熱交換部（42）とが１つの折返し流路（40）を構成し、
上記非接合フィン部（39）は、上記折返し流路（40）の流体の出入口領域（A1）に設けられている
ことを特徴とする熱交換器。
【請求項３】
請求項１において、
上記非接合フィン部（39）は、上記各熱交換部（41,42）の間の全域に設けられている
ことを特徴とする熱交換器。
【請求項４】
請求項１乃至３のいずれか１つにおいて、
上記フィン（36）は、上記扁平管（33）の配列方向に延びる板状に形成され、上記各扁平管（33）が直交方向に差し込まれる切欠部（45）を備える一方、
上記接合フィン部（38）及び上記非接合フィン部（39）は、上記フィン（36）の各扁平管（33）の間に形成されている
ことを特徴とする熱交換器。
【請求項５】
請求項１乃至３のいずれか１つにおいて、
上記フィン（36）は、相隣る扁平管（33）の間において蛇行するコルゲートフィンで構成され、
上記接合フィン部（38）及び上記非接合フィン部（39）は、上記フィン（36）の各扁平管（33）に直交する方向に形成されている
ことを特徴とする熱交換器。
【請求項６】
請求項１乃至５のいずれか１つに記載の熱交換器（30）が設けられた冷媒回路（10）を備え、
上記冷媒回路（10）において冷媒を循環させて冷凍サイクルを行うことを特徴とする空気調和機。
【発明の詳細な説明】
【技術分野】
【０００１】
本発明は、扁平管とフィンとを備えて扁平管内を流れる流体を空気と熱交換させる熱交換器及び該熱交換器を備えた空気調和機に関し、特に熱交換器の性能低下対策に係る。
【背景技術】
【０００２】
従来、扁平管とフィンとを備えた熱交換器が知られている。例えば、特許文献１に記載された熱交換器では、上下方向に延びる複数の扁平管が互いに所定の間隔をおいて左右に並べられ、相隣る扁平管の間が板状のフィンによって複数の通風路に区画されている。上記熱交換器では、フィンと接触しながら流れる空気が、扁平管内を流れる流体と熱交換する。また、上記熱交換器は、複数の扁平管が、異なる温度の流体が流れる２つの熱交換部に区分されている。
【先行技術文献】
【特許文献】
【０００３】
【特許文献１】特開平９−１４６９８号公報
【発明の概要】
【発明が解決しようとする課題】
【０００４】
しかしながら、上述のように複数の扁平管が異なる温度の流体が流れる２つの熱交換部に区分された熱交換器では、２つの熱交換部の間、つまり、温度の異なる流体が流通する２つの扁平管が相隣る箇所において、両扁平管を流れる温度の異なる流体がフィンを介して熱交換してしまうために熱交換器の性能が低下するという問題があった。
【０００５】
本発明は、かかる点に鑑みてなされたものであり、その目的は、複数の扁平管を備えて該複数の扁平管が異なる温度の流体が流れる複数の熱交換部に区分された熱交換器において、相隣る熱交換部の間における流体の熱交換による性能低下を抑制することにある。
【課題を解決するための手段】
【０００６】
第１の発明は、側面が対向するように平行に配置されて内部を流体が流れる複数の扁平管（33）と、相隣る扁平管（33）の間を空気が流れる複数の通風路（44）に区画する複数のフィン（36）とを備えた熱交換器を対象としている。そして、上記複数の扁平管（33）は、異なる温度の流体が流れる複数の熱交換部（41,42）に区分され、上記複数のフィン（36）は、相隣る扁平管（33）の間に位置し、両扁平管（33）に対向する両端が両扁平管（33）の双方に接合される接合フィン部（38）と、両扁平管（33）に対向する両端のうちの少なくとも一端が対向する扁平管（33）に接合されない非接合フィン部（39）とを備え、上記非接合フィン部（39）は、上記各熱交換部（41,42）の間の領域の少なくとも一部に設けられているものである。
【０００７】
第１の発明では、平行に配置された扁平管（33）の間においてフィン（36）によって区画された通風路（44）を空気が通過し、フィン（36）を介して空気と各扁平管（33）内を流れる流体とが熱交換する。また、複数の扁平管（33）は、異なる温度の流体が流れる複数の熱交換部（41,42）に区分されている。つまり、複数の熱交換部（41,42）の間では、異なる温度の流体が流れる扁平管（33）が相隣ることとなる。このように異なる温度の流体が流れる扁平管（33）が隣り合っていると、フィン（36）を介して相隣る扁平管（33）を流れる異なる温度の流体が熱交換して熱交換器の性能が低下するおそれがある。
【０００８】
しかしながら、上記熱交換器では、各熱交換部（41,42）の間の領域の少なくとも一部に、相隣る扁平管（33）の間に位置して両扁平管（33）に対向する両端のうちの少なくとも一端が対向する扁平管（33）に接合されない非接合フィン部（39）を設けている。該非接合フィン部（39）の扁平管（33）が接合されていない非接合端部では、対向する扁平管（33）との間における接触熱抵抗が扁平管（33）が接合された接合端部に比べて各段に大きくなる。そのため、非接合フィン部（39）には、非接合端部に対向する扁平管（33）の内部の流体の熱が伝達され難くなり、非接合フィン部（39）の両側の扁平管（33）の内部を流れる流体どうしの熱交換が抑制される。
【０００９】
第２の発明は、第１の発明において、上記複数の熱交換部（41,42）は、主熱交換部（41）と補助熱交換部（42）とより構成され、上記主熱交換部（41）の扁平管（33）と上記補助熱交換部（42）の扁平管（33）とは、一端が連通して上記主熱交換部（41）と上記補助熱交換部（42）とが１つの折返し流路（40）を構成し、上記非接合フィン部（39）は、上記各熱交換部（41,42）の間の領域であって上記折返し流路（40）の流体の出入口領域（A1）に設けられているものである。
【００１０】
第２の発明では、複数の熱交換部（41,42）は、主熱交換部（41）と補助熱交換部（42）とより構成され、主熱交換部（41）と補助熱交換部（42）とは１つの折返し流路（40）を構成している。また、主熱交換部（41）と補助熱交換部（42）との間であって折返し流路（40）の流体の出入口領域（A1）に非接合フィン部（39）が設けられている。
【００１１】
なお、ここで、上述のような折返し流路（40）の流体の出入口領域（A1）では、相隣る主熱交換部（41）の扁平管（33）と補助熱交換部（42）の扁平管（33）の間における流体の温度差が他の領域に比べて大きくなる。具体的には、例えば、熱交換器が凝縮器として機能する場合には、入口においてガス状態である流体が折返し流路（40）を流通するうちに空気に放熱して凝縮し、さらに空気に放熱することによって過冷却状態となって出口から流出する。つまり、熱交換器が凝縮器として機能する場合、折返し流路（40）では、出口に近づく程流体の温度が低くなる。一方、熱交換器が蒸発器として機能する場合には、入口において気液二相状態である流体が折返し流路（40）を流通するうちに空気から吸熱して蒸発し、さらに空気から吸熱することによって過熱状態となって出口から流出する。つまり、熱交換器が蒸発器として機能する場合、折返し流路（40）では、出口に近づく程流体の温度が高くなる。このように、折返し流路（40）の流体の出入口領域（A1）では、相隣る主熱交換部（41）の扁平管（33）と補助熱交換部（42）の扁平管（33）の間における流体の温度差が他の領域に比べて大きくなる。そのため、折返し流路（40）の流体の出入口領域（A1）に非接合フィン部（39）を設けることにより、相隣る主熱交換部（41）の扁平管（33）と補助熱交換部（42）の扁平管（33）の間における流体の温度差が比較的大きい領域における両扁平管（33）の内部を流れる流体どうしの熱交換が抑制される。
【００１２】
第３の発明は、第１又は第２の発明において、上記非接合フィン部（39）は、上記各熱交換部（41,42）の間の全域に設けられているものである。
【００１３】
第３の発明では、各熱交換部（41,42）の間の全域に非接合フィン部（39）が設けられることにより、各熱交換部（41,42）の間の全域において、各熱交換部（41,42）の間において相隣る扁平管（33）の内部を流れる流体どうしの熱交換が抑制される。
【００１４】
第４の発明は、第１乃至第３のいずれか１つの発明において、上記フィン（36）は、上記扁平管（33）の配列方向に延びる板状に形成され、上記各扁平管（33）が直交方向に差し込まれる切欠部（45）を備える一方、上記接合フィン部（38）及び上記非接合フィン部（39）は、上記フィン（36）の各扁平管（33）の間に形成されているものである。
【００１５】
第４の発明では、板状に形成された複数のフィン（36）が、扁平管（33）の配列方向に延びるように配置される。各フィン（36）には、扁平管（33）が直交方向に差し込まれ切欠部（45）が形成される。接合フィン部（38）及び非接合フィン部（39）は、フィン（36）の各扁平管（33）の間に形成されている。
【００１６】
第５の発明は、第１乃至第３のいずれか１つの発明において、上記フィン（36）は、相隣る扁平管（33）の間において蛇行するコルゲートフィンで構成され、上記接合フィン部（38）及び上記非接合フィン部（39）は、上記フィン（36）の各扁平管（33）に直交する方向に形成されているものである。
【００１７】
第５の発明では、コルゲートフィンであるフィン（36）が、隣り合う扁平管（33）の間に配置されている。各フィン（36）の各扁平管（33）に直交する方向に形成されている部分が接合フィン部（38）及び非接合フィン部（39）を構成する。
【００１８】
第６の発明は、空気調和機を対象とし、上記第１乃至第５のいずれか１つの発明の熱交換器（30）が設けられた冷媒回路（10）を備え、上記冷媒回路（10）において冷媒を循環させて冷凍サイクルを行うものである。
【００１９】
第６の発明では、上記第１乃至第５のいずれか１つの発明の熱交換器（30）が冷媒回路（10）に接続される。熱交換器（30）において、冷媒回路（10）を循環する冷媒は、扁平管（33）の内部を流れ、扁平管（33）の周囲を流れる空気と熱交換する。
【発明の効果】
【００２０】
第１の発明によれば、相隣る扁平管（33）の間に位置して両扁平管（33）に対向する両端のうちの少なくとも一端が対向する扁平管（33）に接合されない非接合フィン部（39）を各熱交換部（41,42）の間の領域の少なくとも一部に設け、該非接合フィン部（39）の非接合端部に対向する扁平管（33）からフィン（36）への熱伝達を抑制することにより、両扁平管（33）を流通する流体がフィン（36）を介して熱交換することを抑制することができる。よって、熱交換器の性能低下を抑制することができる。
【００２１】
また、第２の発明によれば、折返し流路（40）の流体の出入口領域（A1）は、相隣る主熱交換部（41）の扁平管（33）と補助熱交換部（42）の扁平管（33）の間における流体の温度差が他の領域に比べて大きい領域であるため、該領域に非接合フィン部（39）を設けることによって両扁平管（33）の流体間の熱交換を効果的に抑制することができる。
【００２２】
また、第３の発明によれば、各熱交換部（41,42）の間の全域に非接合フィン部（39）が設けられることにより、各熱交換部（41,42）の間において相隣る扁平管（33）内を流通する流体の熱交換を容易に且つ確実に抑制することができる。
【図面の簡単な説明】
【００２３】
【図１】図１は、実施形態１の空気調和機の概略構成を示す冷媒回路図であって、冷房運転時の状態を示すものである。
【図２】図２は、実施形態１の空気調和機の概略構成を示す冷媒回路図であって、暖房運転時の状態を示すものである。
【図３】図３は、実施形態１の熱交換器の概略斜視図である。
【図４】図４は、実施形態１の熱交換器の正面を示す一部断面図である。
【図５】図５は、図４のＶ−Ｖ断面の一部を示す熱交換器の断面図である。
【図６】図６は、実施形態１の熱交換器のフィンの要部を示す正面図である。
【図７】図７は、図６のVII−VII断面を示す断面図である。
【図８】図８は、図６のVIII−VIII断面を示す断面図である。
【図９】図９は、実施形態１の扁平管とフィンにロウ材を配置した状態を示す断面図である。
【図１０】図１０は、実施形態１の変形例の熱交換器の正面を示す一部断面図である。
【図１１】図１１は、実施形態２の熱交換器の概略構成を示す正面図である。
【図１２】図１２は、実施形態２の熱交換器の正面を示す一部断面図である。
【図１３】図１３は、実施形態３の熱交換器の概略構成を示す正面図である。
【図１４】図１４は、実施形態３の熱交換器の正面を示す一部断面図である。
【図１５】図１５は、実施形態４の熱交換器の概略構成を示す正面図である。
【図１６】図１６は、実施形態４の熱交換器の正面を示す一部断面図である。
【図１７】図１７は、実施形態５の熱交換器の概略構成を示す正面図である。
【図１８】図１８は、実施形態５の熱交換器の正面を示す一部断面図である。
【図１９】図１９は、実施形態６の熱交換器の概略斜視図である。
【図２０】図２０は、実施形態６の熱交換器の正面を示す一部断面図である。
【図２１】図２１は、図２０のXXI−XXI断面の一部を示す熱交換器の断面図である。
【図２２】図２２は、実施形態６の熱交換器のフィンの概略斜視図である。
【図２３】図２３は、実施形態６の熱交換器のフィンの板状片部を示す正面図である。
【図２４】図２４は、図２３のXXIV−XXIV断面を示す断面図である。
【図２５】図２５は、その他の実施形態の熱交換器の扁平管とフィンにロウ材を配置した状態を示す断面図である。
【発明を実施するための形態】
【００２４】
以下、本発明の実施形態について図面を参照しながら説明する。
【００２５】
《発明の実施形態１》
実施形態１の熱交換器（30）は、空気調和機（1）の室外熱交換器（13）を構成している。以下、本実施形態の熱交換器（30）を備えた空気調和機（1）について、図１、２を参照しながら説明する。
【００２６】
−空気調和機の構成−
図１に示すように、本実施形態の空気調和機（1）は、室外ユニット（2）及び室内ユニット（3）を備えている。空気調和機（1）では、室外ユニット（2）と室内ユニット（3）とを配管で接続することによって冷媒回路（10）が形成されている。
【００２７】
冷媒回路（10）には、圧縮機（11）と、四方切換弁（12）と、室外熱交換器（13）と、膨張弁（14）と、室内熱交換器（15）とが設けられている。圧縮機（11）、四方切換弁（12）、室外熱交換器（13）及び膨張弁（14）は、室外ユニット（2）に収容されている。室内熱交換器（15）は、室内ユニット（3）に収容されている。また、図示しないが、室外ユニット（2）には室外熱交換器（13）へ室外空気を供給するための室外ファンが設けられ、室内ユニット（3）には室内熱交換器（15）へ室内空気を供給するための室内ファンが設けられている。
【００２８】
上記圧縮機（11）は、その吐出管が四方切換弁（12）の第１ポートに、その吸入管が四方切換弁（12）の第２ポートに、それぞれ配管を介して接続されている。
【００２９】
上記四方切換弁（12）は、４つのポートを備えており、第１ポートが第３ポートと連通し且つ第２ポートが第４ポートと連通する第１状態（図１に示す状態）と、第１ポートが第４ポートと連通し且つ第２ポート第３ポートと連通がする第２状態（図２に示す状態）とに切り換わる。
【００３０】
また、冷媒回路（10）では、四方切換弁（12）の第３ポートから第４のポートへ向かって順に、室外熱交換器（13）と、膨張弁（14）と、室内熱交換器（15）とが配置されている。具体的には、四方切換弁（12）の第３ポートと室外熱交換器（13）のガス側端部とが第１ガス側配管（21）によって接続されている。また、室外熱交換器（13）の液側端部と室内熱交換器（15）の液側端部とが液側配管（23）によって接続され、液側配管（23）の中途部には膨張弁（14）が接続されている。さらに、室内熱交換器（15）のガス側端部と四方切換弁（12）の第４ポートとが第２ガス側配管（22）によって接続されている。
【００３１】
室外熱交換器（13）は、室外空気を冷媒と熱交換させる。室外熱交換器（13）は、本実施形態の熱交換器（30）によって構成されている。一方、室内熱交換器（15）は、室内空気を冷媒と熱交換させる。室内熱交換器（15）は、円管である伝熱管を備えた所謂クロスフィン型のフィン・アンド・チューブ熱交換器によって構成されている。
【００３２】
−冷房運転−
空気調和機（1）は、冷房運転を行う。冷房運転中には、四方切換弁（12）が第１状態に設定される（図１参照）。また、冷房運転中には、図示しない室外ファン及び室内ファンが運転される。
【００３３】
冷媒回路（10）では、冷凍サイクルが行われる。具体的には、圧縮機（11）から吐出された冷媒は、四方切換弁（12）を通って室外熱交換器（13）に流入し、室外空気へ放熱して凝縮する。室外熱交換器（13）から流出した冷媒は、膨張弁（14）を通過する際に膨張し、室内熱交換器（15）に流入する。室内熱交換器（15）において冷媒は室内空気から吸熱して蒸発する。室内熱交換器（15）から流出した冷媒は、四方切換弁（12）を通過後に圧縮機（11）に吸入されて圧縮される。室内ユニット（3）は、室内熱交換器（15）において冷却された空気を室内へ供給する。
【００３４】
−暖房運転−
空気調和機（1）は、暖房運転を行う。暖房運転中には、四方切換弁（12）が第２状態に設定される（図２参照）。また、暖房運転中には、図示しない室外ファン及び室内ファンが運転される。
【００３５】
冷媒回路（10）では、冷凍サイクルが行われる。具体的には、圧縮機（11）から吐出された冷媒は、四方切換弁（12）を通って室内熱交換器（15）に流入し、室内空気と熱交換して凝縮する。室内熱交換器（15）から流出した冷媒は、膨張弁（14）を通過する際に膨張し、室外熱交換器（13）に流入する。室外熱交換器（13）において冷媒は室外空気から吸熱して蒸発する。室外熱交換器（13）から流出した冷媒は、四方切換弁（12）を通過後に圧縮機（11）に吸入されて圧縮される。室内ユニット（3）は、室内熱交換器（15）において加熱された空気を室内へ供給する。
【００３６】
−熱交換器の構成−
上記空気調和機（1）の室外熱交換器（13）を構成する本実施形態の熱交換器（30）について、図３〜８を参照しながら説明する。
【００３７】
上記熱交換器（30）は、１つの第１ヘッダ集合管（31）と、１つの第２ヘッダ集合管（32）と、多数の扁平管（33）と、多数のフィン（36）とを備えている。第１ヘッダ集合管（31）、第２ヘッダ集合管（32）、扁平管（33）及びフィン（36）は、いずれもアルミニウム合金製の部材であって、互いにロウ付けによって接合されている。
【００３８】
図４に示すように、第１ヘッダ集合管（31）と第２ヘッダ集合管（32）は、いずれも縦長の円筒状に形成され、一方が熱交換器（30）の左端に、他方が熱交換器（30）の右端にそれぞれ配置されている。
【００３９】
また、第１ヘッダ集合管（31）には、円板状の仕切板（35）が設けられている。第１ヘッダ集合管（31）の内部空間（S1）は、仕切板（35）によって上下に並ぶ２つの空間、即ち上側空間（S1a）と下側空間（S1b）とに仕切られている。一方、第２ヘッダ集合管（32）の内部空間（S2）は単一の空間に構成されている。
【００４０】
図１及び図２に示すように、第１ヘッダ集合管（31）には、上端部に上記第１ガス側配管（21）が接続され、下端部に上記液側配管（23）が接続されている。つまり、上記熱交換器（30）では、第１ヘッダ集合管（31）の上側空間（S1a）に上記第１ガス側配管（21）が連通し、第１ヘッダ集合管（31）の下側空間（S1b）に上記液側配管（23）が連通している。
【００４１】
図４に示すように、上記熱交換器（30）の複数の扁平管（33）は、異なる温度の流体が流れる主熱交換部（41）と補助熱交換部（42）とに区分されている。具体的には、仕切板（35）よりも上側の部分が主熱交換部（41）を構成し、仕切板（35）よりも下側の部分が補助熱交換部（42）を構成している。なお、以下では、複数の扁平管（33）のうち、主熱交換部（41）の扁平管（33）を主扁平管（33a）と称し、補助熱交換部（42）の扁平管（33）を補助扁平管（33b）と称する。
【００４２】
図５に示すように、上記扁平管（33）は、扁平な断面形状の伝熱管であって、それぞれの平坦な側面が対向する状態で上下に並んで配置されている。各扁平管（33）には、複数の流体通路（34）が形成されている。各流体通路（34）は、扁平管（33）の伸長方向に延びる通路である。各扁平管（33）において、複数の流体通路（34）は、扁平管（33）の伸長方向と直交する幅方向に一列に並んでいる。複数の主扁平管（33a）に形成された流体通路（34）は、それぞれの一端が第１ヘッダ集合管（31）の上側空間（S1a）に連通し、それぞれの他端が第２ヘッダ集合管（32）の内部空間（S2）に連通している。また、複数の補助扁平管（33b）に形成された流体通路（34）は、それぞれの一端が第１ヘッダ集合管（31）の下側空間（S1b）に連通し、それぞれの他端が第２ヘッダ集合管（32）の内部空間（S2）に連通している。熱交換器（30）に供給された冷媒は、主扁平管（33a）及び補助扁平管（33b）の流体通路（34）を流れる間に空気と熱交換する。
【００４３】
上記フィン（36）は、扁平管（33）の配列方向に延びる板状フィンであって、扁平管（33）の伸長方向に互いに一定の間隔をおいて配置されている。つまり、フィン（36）は、扁平管（33）の伸長方向と実質的に直交するように配置されている。
【００４４】
図５に示すように、フィン（36）は、金属板をプレス加工することによって形成された縦長の板状フィンである。フィン（36）には、フィン（36）の前縁からフィン（36）の幅方向に延びる細長い細長い切欠部（45）が、扁平管（33）に対応して多数形成されている。この多数の切欠部（45）は、フィン（36）の長手方向（上下方向）に一定の間隔で形成されている。切欠部（45）は、扁平管（33）が差し込まれるように形成され、切欠部（45）の風下寄りの部分は、扁平管（33）の管挿入部（46）に構成されている。管挿入部（46）は、上下方向の幅が扁平管（33）の厚さと実質的に等しく、長さが扁平管（33）の幅と実質的に等しく形成されている。
【００４５】
上記フィン（36）は、複数の板状片部（36a）と、該複数の板状片部（36a）を連結する連結部（36b）とを有している。各板状片部（36a）は、相隣る切欠部（45）の間に形成されている。一方、連結部（36b）は、切欠部（45）よりも風下側において複数の板状片部（36a）を連結している。つまり、フィン（36）には、相隣る扁平管（33）の間に形成された複数の板状片部（36a）と、各板状片部（36a）の風下側の端部に連続する１つの連結部（36b）とが設けられている。
【００４６】
また、上記フィン（36）の上記管挿入部（46）の縁部は、カラーが形成されて扁平管（33）を取り付ける取付部に構成されている。上記扁平管（33）は、管挿入部（46）に差し込まれて取付部にロウ付けによって接合されることによってフィン（36）に取り付けられる。
【００４７】
図６に示すように、上記フィン（36）には、複数のルーバー（50）が形成されている。各ルーバー（50）は、図７及び図８に示すように、板状片部（36a）と連結部（36b）との一部を切り起こすことによって形成されている。つまり、各ルーバー（50）は、板状片部（36a）と連結部（36b）とに複数のスリット状の切り込みを入れ、相隣る切り込みの間の部分を捩るように塑性変形させることによって形成されている。
【００４８】
上記ルーバー（50）は、長手方向が板状片部（36a）の前縁（37）と実質的に平行となるように形成されている。つまり、上記各ルーバー（50）の長手方向は、上下方向となっている。そして、複数のルーバー（50）は、風上側から風下側へ向かって並んで形成されている。
【００４９】
上記連結部（36b）には、導水用リブ（49）が形成されている。該導水用リブ（49）は、連結部（36b）の風下側の端部に沿って上下に延びる細長い凹溝であって、連結部（36b）の上端から下端に亘って形成されている。
【００５０】
上記各板状片部（36a）には、相隣るフィン（36）の間隔を保持するためのスペーサ（48）が形成されている。該スペーサ（48）は、図７に示すように、板状片部（36a）の一部を折り曲げて形成され、具体的には、板状片部（36a）の一部を切り起こして形成されている。各スペーサ（48）は、その突端が相隣る板状片部（36a）に当接して相隣る板状片部（36a）の間を所定の間隔に保持している。
【００５１】
このように構成されたフィン（36）により、図４に示すように、熱交換器（30）では、上下に相隣る扁平管（33）の間の空間が、複数の通風路（44）に区画される。熱交換器（30）は、主扁平管（33a）及び補助扁平管（33b）の流体通路（34）を流れる冷媒を、通風路（44）を流れる空気と熱交換させる。
【００５２】
また、上記熱交換器（30）では、主熱交換部（41）と補助熱交換部（42）とは、それぞれの扁平管（主扁平管（33a）及び補助扁平管（33b））の一端が第２ヘッダ集合管（32）によって接続されて連通し、１つの折返し流路（40）を構成している。
【００５３】
以上の構成により、上記熱交換器（30）では、主扁平管（33a）と補助扁平管（33b）とには、異なる温度の流体が流れることとなる。
【００５４】
具体的には、上記熱交換器（30）が凝縮器として機能する冷房運転時（図１参照）には、圧縮機（11）の吐出冷媒は、第１ヘッダ集合管（31）の上側空間（S1a）に流入し、該上側空間（S1a）に連通する複数の主扁平管（33a）に分流される。各主扁平管（33a）に流入した冷媒は、該各主扁平管（33a）を通過する際に室外空気に放熱して凝縮する。各主扁平管（33a）を通過した冷媒は、第２ヘッダ集合管（32）に流入して合流した後、複数の補助扁平管（33b）に分流され、該各補助扁平管（33b）を通過する際にさらに室外空気に放熱して過冷却状態となる。過冷却状態となった冷媒は、第１ヘッダ集合管（31）の下側空間（S1b）を介して液側配管（23）に流出する。このようにして、冷房運転時には、主熱交換部（41）において凝縮した冷媒が補助熱交換部（42）において過冷却状態となることによって、補助扁平管（33b）を流れる冷媒の温度が主扁平管（33a）を流れる冷媒の温度よりも低くなる。
【００５５】
一方、上記熱交換器（30）が蒸発器として機能する暖房運転時（図２参照）には、圧縮機（11）の吐出冷媒は、第１ヘッダ集合管（31）の下側空間（S1b）に流入し、該下側空間（S1b）に連通する複数の補助扁平管（33b）に分流される。各補助扁平管（33b）に流入した冷媒は、該各補助扁平管（33b）を通過する際に室外空気から吸熱して蒸発する。各補助扁平管（33b）を通過した冷媒は、第２ヘッダ集合管（32）に流入して合流した後、複数の主扁平管（33a）に分流され、該各主扁平管（33a）を通過する際にさらに室外空気から吸熱して過熱状態となる。過熱状態となった冷媒は、第１ヘッダ集合管（31）の上側空間（S1a）を介して第１ガス側配管（21）に流出する。このようにして、暖房運転時には、補助熱交換部（42）において蒸発した冷媒が主熱交換部（41）において過熱状態となることによって、主扁平管（33a）を流れる冷媒の温度が補助扁平管（33b）を流れる冷媒の温度よりも高くなる。
【００５６】
−扁平管とフィンの接合−
本実施形態では、図９に示すように、扁平管（33）が各フィン（36）の管挿入部（46）に挿入された状態で、扁平管（33）とフィン（36）の各板状片部（36a）とがロウ付けによって接合される。
【００５７】
具体的には、線材のロウ材が用意され、該ロウ材が扁平管（33）と各フィン（36）の各板状片部（36a）との境界上に配置されてロウ付けが行われる。このロウ付けでは、溶融したロウ材が扁平管（33）と各フィン（36）の各板状片部（36a）との間を次第に流下することによって、扁平管（33）の側面と各フィン（36）の各板状片部（36a）とが接合される。
【００５８】
ここで、主熱交換部（41）と補助熱交換部（42）との間、即ち、相隣る主扁平管（33a）と補助扁平管（33b）との間に設けられたフィン（36）の板状片部（36a）は、両扁平管（33a,33b）に対向する両端のうちの下端のみが対向する補助扁平管（33b）に接合され、上端が対向する主扁平管（33a）に接合されない非接合フィン部（39）に構成されている。一方、主熱交換部（41）における相隣る主扁平管（33a）の間に設けられたフィン（36）の板状片部（36a）は、両扁平管（33a）に対向する両端（上端及び下端）が両扁平管（33a）の双方にロウ付けによって接合される接合フィン部（38）に構成されている。また同様に、補助熱交換部（42）における相隣る補助扁平管（33b）の間に設けられたフィン（36）の板状片部（36a）は、両扁平管（33b）に対向する両端（上端及び下端）が両扁平管（33b）の双方にロウ付けによって接合される接合フィン部（38）に構成されている。
【００５９】
上記構成は、以下のようにしてロウ付けを行うことによって形成される。まず、主熱交換部（41）と補助熱交換部（42）との間、即ち、相隣る主扁平管（33a）と補助扁平管（33b）との間に設けられたフィン（36）の板状片部（36a）を除く全ての板状片部（36a）とその両側の扁平管（33）との間、及び、相隣る主扁平管（33a）と補助扁平管（33b）との間に設けられたフィン（36）の板状片部（36a）と下側の補助扁平管（33b）との間にロウ材を配置してロウ付けを行う。言い換えると、フィン（36）の板状片部（36a）と扁平管（33）との間のうち、相隣る主扁平管（33a）と補助扁平管（33b）との間に設けられたフィン（36）の板状片部（36a）と上側の主扁平管（33a）との間にのみロウ材を配置しない状態でロウ付けを行う。これにより、相隣る主扁平管（33a）と補助扁平管（33b）との間に設けられたフィン（36）の板状片部（36a）が非接合フィン部（39）に構成され、それ以外の板状片部（36a）が接合フィン部（38）に構成されることとなる。
【００６０】
ここで、上述のように、熱交換器（30）は、主扁平管（33a）と補助扁平管（33b）とに異なる温度の流体が流れるように構成されている。そのため、相隣る主扁平管（33a）と補助扁平管（33b）とのそれぞれの管内部を流れる流体が両扁平管（33a,33b）に接触するフィン（36）を介して熱交換して、熱交換器（30）の性能を低下させてしまうおそれがある。
【００６１】
しかしながら、本実施形態１では、上述したように、相隣る主扁平管（33a）及び補助扁平管（33b）の間に設けられたフィン（36）の板状片部（36a）が、両扁平管（33a,33b）のうちの下側の補助扁平管（33b）にロウ付けによって接合される一方、上側の主扁平管（33a）にはロウ付けによって接合されない非接合フィン部（39）に構成されている。非接合フィン部（39）の扁平管（33）が接合されていない非接合端部では、対向する扁平管（33）との間における接触熱抵抗が扁平管（33）が接合された接合端部に比べて各段に大きくなる。そのため、非接合フィン部（39）には、非接合端部に対向する扁平管（33）の内部の流体の熱が伝達され難くなり、非接合フィン部（39）の両側の扁平管（33）の内部を流れる流体どうしの熱交換が抑制される。つまり、本実施形態１では、相隣る主扁平管（33a）及び補助扁平管（33b）の内部を流れる流体どうしの熱交換が抑制される。
【００６２】
−実施形態１の効果−
以上のように、本実施形態１の熱交換器（30）では、相隣る扁平管（33）の間に位置して両扁平管（33）に対向する両端のうちの少なくとも一端が対向する扁平管（33）に接合されない非接合フィン部（39）を温度の異なる流体が流れる主熱交換部（41）と補助熱交換部（42）との間に設けることとした。つまり、異なる温度の流体が流れて相隣る主扁平管（33a）及び補助扁平管（33b）の間に設けられたフィン（36）の板状片部（36a）を、下端が下側の補助扁平管（33b）に接合される一方、上端が上側の主扁平管（33a）に接合されない非接合フィン部（39）に構成することとした。該非接合フィン部（39）の扁平管（33）が接合されない非接合端部（上端部）では、対向する扁平管（33）との間における接触熱抵抗が扁平管（33）が接合された接合端部（下端部）に比べて各段に大きくなる。そのため、非接合フィン部（39）には、非接合端部の扁平管（33）の内部の流体の熱が伝達され難くなり、非接合フィン部（39）の両側の扁平管（33）の内部を流れる流体どうしの熱交換が抑制される。つまり、上述のように構成することにより、相隣る主扁平管（33a）及び補助扁平管（33b）を流れる流体どうしがフィン（36）を介して熱交換することを抑制することができる。従って、熱交換器（30）の性能低下を抑制することができる。
【００６３】
また、本実施形態１の熱交換器（30）では、主熱交換部（41）と補助熱交換部（42）の間の全域に非接合フィン部（39）を設ける、即ち、相隣る主扁平管（33a）及び補助扁平管（33b）の間に設けられた板状片部（36a）の全てを上記非接合フィン部（39）に構成することとした。従って、相隣る主扁平管（33a）と補助扁平管（33b）とを流れる流体どうしの熱交換を容易に且つ確実に抑制することができる。
【００６４】
−実施形態１の変形例−
上記実施形態１では、図１０に示すように、主熱交換部（41）の主扁平管（33a）と補助熱交換部（42）の補助扁平管（33b）の一端が連通して構成される折返し流路（40）の流体の出入口領域（A1）のみに非接合フィン部（39）を設けたものである。
【００６５】
上記折返し流路（40）の流体の出入口領域（A1）とは、流体の出入口となる主扁平管（33a）及び補助扁平管（33b）の一端から該両扁平管（33a,33b）の長手方向に延びる領域であり、図１０では、両扁平管（33a,33b）の全長の３分の１程度の長さの領域に設定されている。なお、出入口領域（A1）は、流体の出入口となる主扁平管（33a）及び補助扁平管（33b）の一端を含むように設定された領域であればよく、両扁平管（33a,33b）の全長の４分の１程度の長さの領域であってもよく、また、両扁平管（33a,33b）の全長の半分程度の長さの領域であってもよい。
【００６６】
上述したように、本変形例では、主熱交換部（41）と補助熱交換部（42）との間において、両熱交換部（41,42）が構成する折返し流路（40）の流体の出入口領域（A1）のみに非接合フィン部（39）を設けている。つまり、主熱交換部（41）と補助熱交換部（42）との間において、両熱交換部（41,42）が構成する折返し流路（40）の流体の出入口領域（A1）以外の中間領域（A2）には、両扁平管（33a,33b）に対向する両端（上端及び下端）が両扁平管（33a,33b）の双方にロウ付けによって接合される接合フィン部（38）が設けられている。
【００６７】
上記構成は、以下のようにしてロウ付けを行うことによって形成される。つまり、図１０において、下から４番目の主扁平管（33a）の上面側には長手方向の全域に亘ってロウ材を配置する一方、下から４番目の主扁平管（33a）の下面側には上記出入口領域（A1）を除く領域（中間領域（A2））にのみロウ材を配置した状態で、言い換えると上記出入口領域（A1）にロウ材を配置しない状態で、各扁平管（33）と各フィン（36）とをロウ付けする。これにより、主熱交換部（41）と補助熱交換部（42）との間において、両熱交換部（41,42）が構成する折返し流路（40）の流体の出入口領域（A1）のみに非接合フィン部（39）が設けられることとなる。
【００６８】
ところで、上述のような主熱交換部（41）と補助熱交換部（42）との間であって両熱交換部（41,42）が構成する折返し流路（40）の流体の出入口領域（A1）では、熱交換器（30）が凝縮器として機能する場合であっても蒸発器として機能する場合であっても、相隣る主扁平管（33a）と補助扁平管（33b）との間における流体の温度差が他の領域に比べて大きくなる。具体的には、例えば、熱交換器（30）が凝縮器として機能する場合には、入口においてガス状態である冷媒が折返し流路（40）を流通するうちに室外空気に放熱して凝縮し、さらに室外空気に放熱することによって過冷却状態となって出口から流出する。つまり、熱交換器（30）が凝縮器として機能する場合、折返し流路（40）では、出口に近づく程冷媒の温度が低くなる。一方、例えば、熱交換器（30）が蒸発器として機能する場合には、入口において気液二相状態である冷媒が折返し流路（40）を流通するうちに室外空気から吸熱して蒸発し、さらに室外空気から吸熱することによって過熱状態となって出口から流出する。つまり、熱交換器（30）が蒸発器として機能する場合、折返し流路（40）では、出口に近づく程流体の温度が高くなる。
【００６９】
そのため、上述のように主熱交換部（41）と補助熱交換部（42）との間であって両熱交換部（41,42）が構成する折返し流路（40）の流体の出入口領域（A1）に非接合フィン部（39）を設けることにより、主扁平管（33a）と補助扁平管（33b）との間における流体の温度差が比較的大きい領域における一方の扁平管（33）からフィン（36）への熱伝達を抑制することができる。従って、実施形態１の変形例によっても、相隣る主扁平管（33a）及び補助扁平管（33b）の流体間の熱交換を効果的に抑制することができる。
【００７０】
《発明の実施形態２》
図１１及び図１２に示すように、実施形態２は、実施形態１の熱交換器（30）の構成を変更したものである。
【００７１】
実施形態２では、熱交換器（30）は、３つの熱交換部（51,52,53）を有している。具体的には、熱交換器（30）は、上下に並ぶ第１熱交換部（51）と第２熱交換部（52）と第３熱交換部（53）とを有している。
【００７２】
図１２に示すように、実施形態２では、第１ヘッダ集合管（31）と第２ヘッダ集合管（32）とには、それぞれ円板状の区画板（54）が２つずつ設けられている。第１ヘッダ集合管（31）及び第２ヘッダ集合管（32）の対応する区画板（54）は、等しい高さ位置に設けられている。第１ヘッダ集合管（31）と第２ヘッダ集合管（32）の内部空間は、それぞれ２つの区画板（54）によって上下に並ぶ３つの連通空間（S11,S12,S13）（S21,S22,S23）に区切られている。
【００７３】
上記熱交換器（30）では、第１ヘッダ集合管（31）及び第２ヘッダ集合管（32）の下側の区画板（54）よりも下方の部分が上記第１熱交換部（51）を構成し、下側の区画板（54）と上側の区画板（54）との間の部分が上記第２熱交換部（52）を構成し、上側の区画板（54）よりも上方の部分が上記第３熱交換部（53）を構成している。
【００７４】
また、上記第１ヘッダ集合管（31）の３つの連通空間（S11,S12,S13）には、それぞれ円板状の仕切板（35）が１つずつ設けられ、該仕切板（35）によって、各連通空間（S11,S12,S13）は、上記仕切板（35）の上方の上側空間（S11a,S12a,S13a）と下方の下側空間（S11b,S12b,S13b）とに仕切られている。一方、第２ヘッダ集合管（32）の上下に並ぶ３つの内部空間（S21,S22,S23）は、それぞれ単一の空間に構成されている。
【００７５】
上記３つの熱交換部（51,52,53）では、該各熱交換部（51,52,53）の複数の扁平管（33）が、異なる温度の流体が流れる主熱交換部（41）と補助熱交換部（42）とに区分されている。具体的には、各熱交換部（51,52,53）において、それぞれ仕切板（35）よりも上側の部分が主熱交換部（41）を構成し、仕切板（35）よりも下側の部分が補助熱交換部（42）を構成している。なお、以下では、各熱交換部（51,52,53）の複数の扁平管（33）のうち、主熱交換部（41）の扁平管（33）を主扁平管（33a）と称し、補助熱交換部（42）の扁平管（33）を補助扁平管（33b）と称する。本実施形態２では、各熱交換部（51,52,53）において、上側空間（S11a,S12a,S13a）に連通する１１本の扁平管（33）が主熱交換部（41）の主扁平管（33a）となり、下側空間（S11b,S12b,S13b）に連通する３本の扁平管（33）が補助熱交換部（42）の補助扁平管（33b）となる。
【００７６】
また、図１１に示すように、実施形態２の熱交換器（30）には、液側接続部材（60）とガス側接続部材（65）とが設けられている。
【００７７】
上記液側接続部材（60）は、１つの分流器（61）と、３本の細径管（62,63,64）とを備えている。分流器（61）の下端部には液側配管（23）が接続されている。分流器（61）の上端部には各細径管（62,63,64）の一端が接続されている。分流器（61）の内部では、その下端部に接続された液側配管（23）と各細径管（62,63,64）とが連通している。各細径管（62,63,64）の他端は、第１ヘッダ集合管（31）に接続され、対応する各下側空間（S11b,S12b,S13b）にそれぞれ連通している。
【００７８】
上記ガス側接続部材（65）は、１つの本体管部（66）と、３つの接続管部（67,68,69）とを備えている。本体管部（66）は、その上端部が逆Ｕ字状に曲がった比較的大径の管状に形成されている。本体管部（66）の上側の端部には第１ガス側配管（21）が接続され、本体管部（66）の下側の端部は閉塞されている。接続管部（67,68,69）は、本体管部（66）の直線状の部分から側方に突出している。
【００７９】
また、上記熱交換器（30）では、各熱交換部（51,52,53）において、主熱交換部（41）と補助熱交換部（42）とが、それぞれの扁平管（主扁平管（33a）及び補助扁平管（33b））の一端が第２ヘッダ集合管（32）によって接続されて連通し、１つの折返し流路（40）を構成している。つまり、上記熱交換器（30）には、３つの熱交換部（51,52,53）に対応して３つの折返し流路（40）が形成されている。
【００８０】
このような構成により、実施形態２の熱交換器（30）では、冷房運転中には、図１１に示した矢印の方向に冷媒が流れる。また、暖房運転中は、図１１に示した矢印とは逆方向に冷媒が流れる。また、実施形態２においても、主扁平管（33a）と補助扁平管（33b）とには、異なる温度の流体が流れることとなる。
【００８１】
具体的には、上記熱交換器（30）が凝縮器として機能する冷房運転時には、圧縮機（11）の吐出冷媒は、ガス側接続部材（65）を介して第１ヘッダ集合管（31）の各上側空間（S11a,S12a,S13a）に流入し、該各上側空間（S11a,S12a,S13a）に連通する複数の主扁平管（33a）に分流される。各主扁平管（33a）に流入した冷媒は、該各主扁平管（33a）を通過する際に室外空気に放熱して凝縮する。各主扁平管（33a）を通過した冷媒は、第２ヘッダ集合管（32）の３つの内部空間（S21,S22,S23）のそれぞれに流入し、各内部空間（S21,S22,S23）に連通する複数の補助扁平管（33b）に分流され、該各補助扁平管（33b）を通過する際にさらに室外空気に放熱して過冷却状態となる。過冷却状態となった冷媒は、第１ヘッダ集合管（31）の３つの下側空間（S11b,S12b,S13b）にそれぞれ流入した後、液側接続部材（60）を介して液側配管（23）に流出する。このようにして、冷房運転時には、各熱交換部（51,52,53）において、各主熱交換部（41）において凝縮した冷媒が各補助熱交換部（42）において過冷却状態となることによって、補助扁平管（33b）を流れる冷媒の温度が主扁平管（33a）を流れる冷媒の温度よりも低くなる。
【００８２】
一方、上記熱交換器（30）が蒸発器として機能する暖房運転時には、圧縮機（11）の吐出冷媒は、液側接続部材（60）を介して第１ヘッダ集合管（31）の３つの下側空間（S11b,S12b,S13b）に流入し、該各下側空間（S11b,S12b,S13b）に連通する複数の補助扁平管（33b）に分流される。各補助扁平管（33b）に流入した冷媒は、該各補助扁平管（33b）を通過する際に室外空気から吸熱して蒸発する。各補助扁平管（33b）を通過した冷媒は、第２ヘッダ集合管（32）の３つの内部空間（S21,S22,S23）のそれぞれに流入し、各内部空間（S21,S22,S23）に接続された複数の主扁平管（33a）に分流され、該各主扁平管（33a）を通過する際にさらに室外空気から吸熱して過熱状態となる。過熱状態となった冷媒は、第１ヘッダ集合管（31）の３つの上側空間（S11a,S12a,S13a）のそれぞれに流入した後、ガス側接続部材（65）を介して第１ガス側配管（21）に流出する。このようにして、暖房運転時には、各熱交換部（51,52,53）において、各補助熱交換部（42）において蒸発した冷媒が各主熱交換部（41）において過熱状態となることによって、主扁平管（33a）を流れる冷媒の温度が補助扁平管（33b）を流れる冷媒の温度よりも高くなる。
【００８３】
また、実施形態２においても実施形態１と同様に、相隣る主扁平管（33a）及び補助扁平管（33b）の間に設けられたフィン（36）の板状片部（36a）が、下端が下側の扁平管（33）に接合される一方、上端が上側の扁平管（33）に接合されていない非接合フィン部（39）に構成され、その他の部分に設けられるフィン（36）の板状片部（36a）が、両端が上下両側の扁平管（33）にそれぞれ接合される接合フィン部（38）に構成されている。
【００８４】
具体的には、図１２に示すように、上下方向に３つずつ交互に配置された主熱交換部（41）と補助熱交換部（42）とのそれぞれの間、即ち、第３熱交換部（53）の主熱交換部（41）と補助熱交換部（42）との間、第３熱交換部（53）の補助熱交換部（42）と第２熱交換部（52）の主熱交換部（41）との間、第２熱交換部（52）の主熱交換部（41）と補助熱交換部（42）との間、第２熱交換部（52）の補助熱交換部（42）と第１熱交換部（51）の主熱交換部（41）との間、及び第１熱交換部（51）の主熱交換部（41）と補助熱交換部（42）との間のそれぞれに設けられるフィン（36）の各板状片部（36a）が、非接合フィン部（39）に構成されている。一方、各熱交換部（41,42）において、相隣る扁平管（33）の間に設けられるフィン（36）の各板状片部（36a）は、接合フィン部（38）に構成されている。
【００８５】
このような構成により、実施形態２においても、実施形態１と同様に、相隣る主扁平管（33a）及び補助扁平管（33b）を流れる流体どうしがフィン（36）を介して熱交換することを抑制することができる。従って、熱交換器（30）の性能低下を抑制することができる。
【００８６】
《発明の実施形態３》
図１３及び図１４に示すように、実施形態３は、実施形態１の熱交換器（30）の構成を変更したものである。
【００８７】
実施形態３では、熱交換器（30）は、上下に並ぶ２つの熱交換部、即ち、上側の主熱交換部（41）と下側の補助熱交換部（42）とを有している。また、各熱交換部（41,42）は、上下並ぶ３つの熱交換部（41a,41b,41c）（42a,42b,42c）に区分されている。具体的には、主熱交換部（41）は、下から順に並ぶ第１主熱交換部（41a）と第２主熱交換部（41b）と第３主熱交換部（41c）とによって構成され、補助熱交換部（42）は、下から順に並ぶ第１補助熱交換部（42a）と第２補助熱交換部（42b）と第３補助熱交換部（42c）とによって構成されている。
【００８８】
第１ヘッダ集合管（31）の内部空間（S31）は、仕切板（35）によって上側空間（S33）と下側空間（S34）とに仕切られている。上側空間（S33）は単一の空間に構成される一方、下側空間（S34）は、２つの区画板（55）によって、上下に並ぶ３つの連通空間（S34a,S34b,S34c）に仕切られている。具体的には、下側空間（S34）は、下から順に並ぶ第１連通空間（S34a）と第２連通空間（S34b）と第３連通空間（S34c）とによって構成されている。
【００８９】
第２ヘッダ集合管（32）の内部空間（S32）は、区画板（55）によって上下に並ぶ５つの連通空間（S32a〜S32e）に区画されている。具体的には、第２ヘッダ集合管（32）の内部空間（S32）は、下から順に並ぶ第１連通空間（S32a）と第２連通空間（S32b）と第３連通空間（S32c）と第４連通空間（S32d）と第５連通空間（S32e）とによって構成されている。また、第２ヘッダ集合管（32）の最も下側の区画板（55）は、第１ヘッダ集合管（31）の下側の区画板（55）と等しい高さ位置に設けられ、第２ヘッダ集合管（32）の下から２番目の区画板（55）は、第１ヘッダ集合管（31）の上側の区画板（55）と等しい高さ位置に設けられている。
【００９０】
上記熱交換器（30）では、第１ヘッダ集合管（31）の仕切板（35）よりも上方の部分が上記主熱交換部（41）を構成し、上記仕切板（35）よりも下方の部分が上記補助熱交換部（42）を構成している。また、上記熱交換器（30）の主熱交換部（41）では、第２ヘッダ集合管（32）の上から２番目の区画板（55）よりも下方の部分が上記第１主熱交換部（41a）を構成し、第２ヘッダ集合管（32）の上から１番目と２番目の区画板（55）の間の部分が上記第２主熱交換部（41b）を構成し、第２ヘッダ集合管（32）の最も上側の区画板（55）よりも上方の部分が上記第３主熱交換部（41c）を構成している。さらに、上記熱交換器（30）の補助熱交換部（42）では、第２ヘッダ集合管（32）の最も下側の区画板（55）よりも下方の部分が上記第１補助熱交換部（42a）を構成し、第２ヘッダ集合管（32）の下から１番目と２番目の区画板（55）の間の部分が上記第２補助熱交換部（42b）を構成し、第２ヘッダ集合管（32）の下から２番目の区画板（55）よりも上方の部分が上記第３補助熱交換部（42c）を構成している。
【００９１】
なお、以下では、熱交換器（30）の複数の扁平管（33）のうち、主熱交換部（41）の扁平管（33）を主扁平管（33a）と称し、補助熱交換部（42）の扁平管（33）を補助扁平管（33b）と称する。つまり、複数の扁平管（33）のうち、第１ヘッダ集合管（31）の上側空間（S33）に連通する３３本の扁平管（33）が主熱交換部（41）の主扁平管（33a）となり、第１ヘッダ集合管（31）の下側空間（S34）（第１〜第３連通空間（S34a〜S34c））に連通する９本の扁平管（33）が補助熱交換部（42）の補助扁平管（33b）となる。
【００９２】
また、第２ヘッダ集合管（32）には、第１連通空間（S32a）と第４連通空間（S32d）とを接続する第１連通管（32a）と、第２連通空間（S32b）と第５連通空間（S32e）とを接続する第２連通管（32b）とが設けられている。
【００９３】
上記熱交換器（30）では、第１主熱交換部（41a）の主扁平管（33a）と第３補助熱交換部（42c）の補助扁平管（33b）とが第２ヘッダ集合管（32）の第３連通空間（S32c）によって連通し、第２主熱交換部（41b）の主扁平管（33a）と第１補助熱交換部（42a）の補助扁平管（33b）とが第１連通管（32a）によって連通し、第３主熱交換部（41c）の主扁平管（33a）と第２補助熱交換部（42b）の補助扁平管（33b）とが第２連通管（32b）によって連通している。つまり、上記熱交換器（30）では、第１主熱交換部（41a）と第３補助熱交換部（42c）とが対になり、第２主熱交換部（41b）と第１補助熱交換部（42a）とが対になり、第３主熱交換部（41c）と第２補助熱交換部（42b）とが対になるように構成されている。
【００９４】
図１３に示すように、実施形態３の熱交換器（30）には、液側接続部材（70）とガス側接続部材（75）とが設けられている。
【００９５】
上記液側接続部材（70）は、１つの分流器（71）と、３本の細径管（72,73,74）とを備えている。分流器（71）は、下端部に液側配管（23）が接続され、上端部に各細径管（72,73,74）の一端が接続されている。各細径管（72,73,74）の他端は、第１ヘッダ集合管（31）に接続され、下側空間（S34）の各連通空間（S34a,S34b,S34c）の下端寄りの部分に開口している。なお、各細径管（72,73,74）の長さは、各補助熱交換部（42a,42b,42c）へ流入する冷媒の流量の差がなるべく小さくなるように、個別に設定されている。
【００９６】
上記ガス側接続部材（75）は、比較的大径の１つの配管で構成されている。ガス側接続部材（75）は、一端が第１ガス側配管（21）に接続され、他端が第１ヘッダ集合管（31）に接続されている。ガス側接続部材（75）の他端は、第１ヘッダ集合管（31）の上側空間（S33）の上端寄りの部分に開口している。
【００９７】
また、上記熱交換器（30）では、主熱交換部（41）と補助熱交換部（42）とが、それぞれの扁平管（主扁平管（33a）及び補助扁平管（33b））の一端が第２ヘッダ集合管（32）によって接続されて連通し、１つの折返し流路（40）を構成している。
【００９８】
このような構成により、実施形態３の熱交換器（30）では、冷房運転中には、図１３に示した矢印の方向に冷媒が流れる。また、暖房運転中は、図１３に示した矢印とは逆方向に冷媒が流れる。また、実施形態３においても、主扁平管（33a）と補助扁平管（33b）とには、異なる温度の流体が流れることとなる。
【００９９】
具体的には、上記熱交換器（30）が凝縮器として機能する冷房運転時には、圧縮機（11）の吐出冷媒は、ガス側接続部材（75）を介して第１ヘッダ集合管（31）の上側空間（S33）に流入し、該上側空間（S33）に連通する複数の主扁平管（33a）に分流される。各主扁平管（33a）に流入した冷媒は、該各主扁平管（33a）を通過する際に室外空気に放熱して凝縮する。第１主熱交換部（41a）の主扁平管（33a）を通過した冷媒は、第２ヘッダ集合管（32）の第３連通空間（S32c）に流入し、第１主熱交換部（41a）と対になる第３補助熱交換部（42c）の複数の補助扁平管（33b）に分流される。第２主熱交換部（41b）の主扁平管（33a）を通過した冷媒は、第２ヘッダ集合管（32）の第４連通空間（S32d）に流入し、第１連通管（32a）を介して第２ヘッダ集合管（32）の第１連通空間（S32a）に流入した後、第２主熱交換部（41b）と対になる第１補助熱交換部（42a）の複数の補助扁平管（33b）に分流される。第３主熱交換部（41c）の主扁平管（33a）を通過した冷媒は、第２ヘッダ集合管（32）の第５連通空間（S32e）に流入し、第２連通管（32b）を介して第２ヘッダ集合管（32）の第２連通空間（S32b）に流入した後、第３主熱交換部（41c）と対になる第２補助熱交換部（42b）の複数の補助扁平管（33b）に分流される。各補助扁平管（33b）に流入した冷媒は、該各補助扁平管（33b）を通過する際にさらに室外空気に放熱して過冷却状態となる。過冷却状態となった冷媒は、第１ヘッダ集合管（31）の第１〜第３連通空間（S34a〜S34c）にそれぞれ流入した後、液側接続部材（70）を介して液側配管（23）に流出する。このようにして、冷房運転時には、各主熱交換部（41a,41b,41c）において凝縮した冷媒が対となる各補助熱交換部（42a,42b,42c）において過冷却状態となることによって、補助扁平管（33b）を流れる冷媒の温度が主扁平管（33a）を流れる冷媒の温度よりも低くなる。
【０１００】
一方、上記熱交換器（30）が蒸発器として機能する暖房運転時には、圧縮機（11）の吐出冷媒は、液側接続部材（70）を介して第１ヘッダ集合管（31）の第１〜第３連通空間（S34a〜S34c）に流入し、該各連通空間（S34a,S34b,S34c）にそれぞれ連通する複数の補助扁平管（33b）に分流される。各補助扁平管（33b）に流入した冷媒は、該各補助扁平管（33b）を通過する際に室外空気から吸熱して蒸発する。第１補助熱交換部（42a）の補助扁平管（33b）を通過した冷媒は、第２ヘッダ集合管（32）の第１連通空間（S32a）に流入し、第１連通管（32a）を介して第２ヘッダ集合管（32）の第４連通空間（S32d）に流入した後、第１補助熱交換部（42a）と対になる第２主熱交換部（41b）の複数の主扁平管（33a）に分流される。第２補助熱交換部（42b）の補助扁平管（33b）を通過した冷媒は、第２ヘッダ集合管（32）の第２連通空間（S32b）に流入し、第２連通管（32b）を介して第２ヘッダ集合管（32）の第５連通空間（S32e）に流入した後、第２補助熱交換部（42b）と対になる第３主熱交換部（41c）の複数の主扁平管（33a）に分流される。第３補助熱交換部（42c）の補助扁平管（33b）を通過した冷媒は、第２ヘッダ集合管（32）の第３連通空間（S32c）に流入し、第３補助熱交換部（42c）と対になる第１主熱交換部（41a）の複数の主扁平管（33a）に分流される。各主扁平管（33a）に流入した冷媒は、該各主扁平管（33a）を通過する際にさらに室外空気から吸熱して過熱状態となる。過熱状態となった冷媒は、第１ヘッダ集合管（31）の上側空間（S33）に流入して合流した後、ガス側接続部材（75）を介して第１ガス側配管（21）に流出する。このようにして、暖房運転時には、各補助熱交換部（42a,42b,42c）において蒸発した冷媒が各主熱交換部（41a,41b,41c）において過熱状態となることによって、主扁平管（33a）を流れる冷媒の温度が補助扁平管（33b）を流れる冷媒の温度よりも高くなる。
【０１０１】
また、実施形態３においても実施形態１と同様に、相隣る主扁平管（33a）及び補助扁平管（33b）との間に設けられたフィン（36）の板状片部（36a）が、下端が下側の扁平管（33）に接合される一方、上端が上側の扁平管（33）に接合されていない非接合フィン部（39）に構成され、その他の部分に設けられるフィン（36）の板状片部（36a）が、両端が上下両側の扁平管（33）にそれぞれ接合される接合フィン部（38）に構成されている。
【０１０２】
具体的には、図１４に示すように、上下方向に配置された主熱交換部（41）と補助熱交換部（42）との間、即ち、下から１０本目の主扁平管（33a）と下から９本目の補助扁平管（33b）との間に設けられるフィン（36）の各板状片部（36a）は、下端が補助扁平管（33b）に接合される一方、上端が主扁平管（33a）に接合されていない非接合フィン部（39）に構成されている。一方、各熱交換部（41,42）の相隣る扁平管（33）の間に設けられるフィン（36）の各板状片部（36a）は、両端が上下両側の扁平管（33）にそれぞれ接合される接合フィン部（38）に構成されている。
【０１０３】
このような構成により、実施形態３においても、実施形態１と同様に、相隣る主扁平管（33a）及び補助扁平管（33b）を流れる流体どうしがフィン（36）を介して熱交換することを抑制することができる。従って、熱交換器（30）の性能低下を抑制することができる。
【０１０４】
《発明の実施形態４》
図１５及び図１６に示すように、実施形態４は、実施形態１の熱交換器（30）の構成を変更したものである。
【０１０５】
実施形態４では、熱交換器（30）は、上記実施形態３と同様、上下に並ぶ２つの熱交換部、即ち、上側の主熱交換部（41）と下側の補助熱交換部（42）とを有している。また、上側の主熱交換部（41）は、上下に並ぶ３つの主熱交換部（41a,41b,41c）に区分されている。具体的には、主熱交換部（41）は、下から順に並ぶ第１主熱交換部（41a）と第２主熱交換部（41b）と第３主熱交換部（41c）とによって構成されている。一方、下側の補助熱交換部（42）は単一の補助熱交換部によって構成されている。
【０１０６】
第１ヘッダ集合管（31）の内部空間（S41）は、仕切板（35）によって上下に並ぶ上側空間（S43）と下側空間（S44）とに仕切られている。第１ヘッダ集合管（31）の上側空間（S43）及び下側空間（S44）は、それぞれ単一の空間に構成されている。
【０１０７】
第２ヘッダ集合管（32）の内部空間（S42）は、仕切板（35）によって上下に並ぶ上側空間（S45）と下側空間（S46）とに仕切られている。第２ヘッダ集合管（32）の仕切板（35）は、第１ヘッダ集合管（31）の仕切板（35）と等しい高さ位置に設けられている。また、第２ヘッダ集合管（32）の上側空間（S45）は、２つの区画板（56）によって上下に並ぶ３つの連通空間（S45a,S45b,S45c）に区画されている。具体的には、上側空間（S45）は、第１連通空間（S45a）と第２連通空間（S45b）と第３連通空間（S45c）とによって構成されている。一方、第２ヘッダ集合管（32）の下側空間（S46）は、単一の空間に構成されている。
【０１０８】
上記熱交換器（30）では、第１ヘッダ集合管（31）及び第２ヘッダ集合管（32）の仕切板（35）よりも上方の部分が上記主熱交換部（41）を構成し、上記仕切板（35）よりも下方の部分が上記補助熱交換部（42）を構成している。また、上記熱交換器（30）の主熱交換部（41）では、第２ヘッダ集合管（32）の上から２番目の区画板（56）よりも下方の部分が上記第１主熱交換部（41a）を構成し、第２ヘッダ集合管（32）の上から１番目と２番目の区画板（56）の間の部分が上記第２主熱交換部（41b）を構成し、第２ヘッダ集合管（32）の最も上側の区画板（55）よりも上方の部分が上記第３主熱交換部（41c）を構成している。
【０１０９】
なお、以下では、熱交換器（30）の複数の扁平管（33）のうち、主熱交換部（41）の扁平管（33）を主扁平管（33a）と称し、補助熱交換部（42）の扁平管（33）を補助扁平管（33b）と称する。つまり、複数の扁平管（33）のうち、第１ヘッダ集合管（31）の上側空間（S43）に連通する３３本の扁平管（33）が主熱交換部（41）の主扁平管（33a）を構成し、第１ヘッダ集合管（31）の下側空間（S44）に連通する９本の扁平管（33）が補助熱交換部（42）の補助扁平管（33b）をそれぞれ構成する。
【０１１０】
また、第２ヘッダ集合管（32）には、連通部材（80）が設けられている。連通部材（80）は、１つの分流器（81）と、１本の主管（82）と、３本の細径管（83,84,85）とを備えている。主管（82）の一端は分流器（81）の下端部に接続され、他端は第２ヘッダ集合管（32）の下側空間（S46）に接続されている。分流器（81）の上端部には、各細径管（83,84,85）の一端が接続されている。分流器（81）の内部では、主管（82）と各細径管（83,84,85）とが連通している。各細径管（83,84,85）の他端は、第２ヘッダ集合管（32）の対応する第１〜第３連通空間（S45a〜S45c）に連通している。
【０１１１】
図１６にも示すように、各細径管（83,84,85）は、対応する第１〜第３連通空間（S45a〜S45c）の下端寄りの部分に開口している。つまり、第１細径管（83）は第１連通空間（S45a）の下端寄りの部分に開口し、第２細径管（84）は第２連通空間（S45b）の下端寄りの部分に開口し、第３細径管（85）は第３連通空間（S45c）の下端寄りの部分に開口している。なお、各細径管（83,84,85）の長さは、各主熱交換部（41a,41b,41c）へ流入する冷媒の流量の差がなるべく小さくなるように、個別に設定されている。このようにして、上記熱交換器（30）では、連通部材（80）により、第２ヘッダ集合管（32）の下側空間（S46）と第１〜第３連通空間（S45a〜S45c）とが連通している。
【０１１２】
図１５に示すように、熱交換器（30）には、液側接続部材（86）とガス側接続部材（87）とが設けられている。液側接続部材（86）及びガス側接続部材（87）は、第１ヘッダ集合管（31）に取り付けられている。液側接続部材（86）は、比較的大径の１つの配管で構成されている。液側接続部材（86）の一端には、液側配管（23）が接続されている。液側接続部材（86）の他端は、第１ヘッダ集合管（31）における下側空間（S44）の下端寄りの部分に開口している。ガス側接続部材（75）は、比較的大径の１つの配管で構成されている。ガス側接続部材（75）の一端は、第１ガス側配管（21）と接続されている。ガス側接続部材（75）の他端は、第１ヘッダ集合管（31）における上側空間（S43）の上端寄りの部分に開口している。
【０１１３】
また、上記熱交換器（30）では、主熱交換部（41）と補助熱交換部（42）とが、それぞれの扁平管（主扁平管（33a）及び補助扁平管（33b））の一端が第２ヘッダ集合管（32）によって接続されて連通し、１つの折返し流路（40）を構成している。
【０１１４】
このような構成により、実施形態４の熱交換器（30）では、冷房運転中には、図１５に示した矢印の方向に冷媒が流れる。また、暖房運転中は、図１５に示した矢印とは逆方向に冷媒が流れる。また、実施形態４においても、主扁平管（33a）と補助扁平管（33b）とには、異なる温度の流体が流れることとなる。
【０１１５】
具体的には、上記熱交換器（30）が凝縮器として機能する冷房運転時には、圧縮機（11）の吐出冷媒は、ガス側接続部材（87）を介して第１ヘッダ集合管（31）の上側空間（S43）に流入し、該上側空間（S43）にそれぞれ連通する複数の主扁平管（33a）に分流される。各主扁平管（33a）に流入した冷媒は、該各主扁平管（33a）を通過する際に室外空気に放熱して凝縮する。各主熱交換部（41a,41b,41c）の主扁平管（33a）を通過した冷媒は、第２ヘッダ集合管（32）の上側空間（S45）の各連通空間（S45a,S45b,S45c）に流入し、連通部材（80）を介して第２ヘッダ集合管（32）の下側空間（S46）に流入した後、補助熱交換部（42）の複数の補助扁平管（33b）に分流される。各補助扁平管（33b）に流入した冷媒は、該各補助扁平管（33b）を通過する際にさらに室外空気に放熱して過冷却状態となる。過冷却状態となった冷媒は、第１ヘッダ集合管（31）の下側空間（S44）に流入した後、液側接続部材（86）を介して液側配管（23）に流出する。このようにして、冷房運転時には、各主熱交換部（41a,41b,41c）において凝縮した冷媒が補助熱交換部（42）において過冷却状態となることによって、補助扁平管（33b）を流れる冷媒の温度が主扁平管（33a）を流れる冷媒の温度よりも低くなる。
【０１１６】
一方、上記熱交換器（30）が蒸発器として機能する暖房運転時には、圧縮機（11）の吐出冷媒は、液側接続部材（86）を介して第１ヘッダ集合管（31）の下側空間（S44）に流入し、該下側空間（S44）に連通する複数の補助扁平管（33b）に分流される。各補助扁平管（33b）に流入した冷媒は、該各補助扁平管（33b）を通過する際に室外空気から吸熱して蒸発する。各補助扁平管（33b）を通過した冷媒は、第２ヘッダ集合管（32）の下側空間（S46）に流入し、連通部材（80）を介して第２ヘッダ集合管（32）の第１〜第３連通空間（S45a〜45c）に分流され、該第１〜第３連通空間（S45a〜45c）に接続された複数の主扁平管（33a）に分流される。各主扁平管（33a）に流入した冷媒は、該各主扁平管（33a）を通過する際にさらに室外空気から吸熱して過熱状態となる。各主熱交換部（41a,41b,41c）の主扁平管（33a）を通過した冷媒は、第１ヘッダ集合管（31）の上側空間（S43）に流入して合流した後、ガス側接続部材（87）を介して第１ガス側配管（21）に流出する。このようにして、暖房運転時には、補助熱交換部（42）において蒸発した冷媒が各主熱交換部（41a,41b,41c）において過熱状態となることによって、主扁平管（33a）を流れる冷媒の温度が補助扁平管（33b）を流れる冷媒の温度よりも高くなる。
【０１１７】
また、実施形態４においても実施形態１と同様に、相隣る主扁平管（33a）及び補助扁平管（33b）との間に設けられたフィン（36）の板状片部（36a）が、下端が下側の扁平管（33）に接合される一方、上端が上側の扁平管（33）に接合されていない非接合フィン部（39）に構成され、その他の部分に設けられるフィン（36）の板状片部（36a）が、両端が上下両側の扁平管（33）にそれぞれ接合される接合フィン部（38）に構成されている。
【０１１８】
具体的には、図１６に示すように、上下方向に配置された主熱交換部（41）と補助熱交換部（42）との間、即ち、下から１０本目の主扁平管（33a）と下から９本目の補助扁平管（33b）との間に設けられるフィン（36）の各板状片部（36a）は、下端が補助扁平管（33b）に接合される一方、上端が主扁平管（33a）に接合されていない非接合フィン部（39）に構成されている。一方、各熱交換部（41,42）の相隣る扁平管（33）の間に設けられるフィン（36）の各板状片部（36a）は、両端が上下両側の扁平管（33）にそれぞれ接合される接合フィン部（38）に構成されている。
【０１１９】
このような構成により、実施形態４においても、実施形態１と同様に、相隣る主扁平管（33a）及び補助扁平管（33b）を流れる流体どうしがフィン（36）を介して熱交換することを抑制することができる。従って、熱交換器（30）の性能低下を抑制することができる。
【０１２０】
《発明の実施形態５》
図１７及び図１８に示すように、実施形態５は、実施形態１の熱交換器（30）の構成を変更したものである。
【０１２１】
図１７に示すように、実施形態５の熱交換器（30）は、上記実施形態３と同様に、上下に並ぶ２つの熱交換部、即ち、上側の主熱交換部（41）と下側の補助熱交換部（42）とを有している。また、各熱交換部（41,42）は、上下に並ぶ３つの熱交換部（41a,41b,41c）（42a,42b,42c）に区分されている。具体的には、主熱交換部（41）は、下から順に並ぶ第１主熱交換部（41a）と第２主熱交換部（41b）と第３主熱交換部（41c）とによって構成され、補助熱交換部（42）は、下から順に並ぶ第１補助熱交換部（42a）と第２補助熱交換部（42b）と第３補助熱交換部（42c）とによって構成されている。
【０１２２】
第１ヘッダ集合管（31）の内部空間（S51）は、仕切板（35）によって上側空間（S53）と下側空間（S54）とに仕切られている。上側空間（S53）は単一の空間に構成される一方、下側空間（S54）は、２つの区画板（57）によって、上下に並ぶ３つの連通空間（S54a,S54b,S54c）に仕切られている。具体的には、下側空間（S54）は、下から順に並ぶ第１連通空間（S54a）と第２連通空間（S54b）と第３連通空間（S54c）とによって構成されている。
【０１２３】
第２ヘッダ集合管（32）の内部空間（S52）は、２つの区画板（58）によって左右に３つの連通空間（S52a〜S52c）に仕切られている。具体的には、第２ヘッダ集合管（32）の内部空間（S52）は、図１８において右側から順に並ぶ第１連通空間（S52a）と第２連通空間（S52b）と第３連通空間（S52c）とによって構成されている。
【０１２４】
上記熱交換器（30）では、第１ヘッダ集合管（31）の仕切板（35）よりも上方の部分が上記主熱交換部（41）を構成し、上記仕切板（35）よりも下方の部分が上記補助熱交換部（42）を構成している。また、上記熱交換器（30）の主熱交換部（41）では、上下方向に三等分して最も下側の部分が上記第１主熱交換部（41a）を構成し、真中の部分が上記第２主熱交換部（41b）を構成し、最も上側の部分が上記第３主熱交換部（41c）を構成している。さらに、上記熱交換器（30）の補助熱交換部（42）では、第１ヘッダ集合管（31）の下側の区画板（57）よりも下方の部分が上記第１補助熱交換部（42a）を構成し、第１ヘッダ集合管（31）の２つの区画板（57）の間の部分が上記第２補助熱交換部（42b）を構成し、第２ヘッダ集合管（32）の上側の区画板（57）よりも上方の部分が上記第３補助熱交換部（42c）を構成している。
【０１２５】
なお、以下では、熱交換器（30）の複数の扁平管（33）のうち、主熱交換部（41）の扁平管（33）を主扁平管（33a）と称し、補助熱交換部（42）の扁平管（33）を補助扁平管（33b）と称する。つまり、複数の扁平管（33）のうち、第１ヘッダ集合管（31）の上側空間（S53）に連通する３３本の扁平管（33）が主熱交換部（41）の主扁平管（33a）を構成し、第１ヘッダ集合管（31）の下側空間（S54）（第１〜第３連通空間（S54a〜S54c））に連通する９本の扁平管（33）が補助熱交換部（42）の補助扁平管（33b）をそれぞれ構成する。
【０１２６】
また、上記熱交換器（30）では、第１主熱交換部（41a）の主扁平管（33a）と第３補助熱交換部（42c）の補助扁平管（33b）とが第２ヘッダ集合管（32）の第３連通空間（S52c）によって連通し、第２主熱交換部（41b）の主扁平管（33a）と第２補助熱交換部（42b）の補助扁平管（33b）とが第２ヘッダ集合管（32）の第２連通空間（S52b）によって連通し、第３主熱交換部（41c）の主扁平管（33a）と第１補助熱交換部（42a）の補助扁平管（33b）とが第２ヘッダ集合管（32）の第１連通空間（S52a）によって連通している。つまり、上記熱交換器（30）では、第１主熱交換部（41a）と第３補助熱交換部（42c）とが対になり、第２主熱交換部（41b）と第２補助熱交換部（42b）とが対になり、第３主熱交換部（41c）と第１補助熱交換部（42a）とが対になるように構成されている。
【０１２７】
図１７に示すように、熱交換器（30）には、液側接続部材（90）とガス側接続部材（95）とが設けられている。
【０１２８】
上記液側接続部材（90）は、１つの分流器（91）と、３本の細径管（92,93,94）とを備えている。分流器（91）は、下端部に液側配管（23）が接続され、上端部に各細径管（92,93,94）の一端が接続されている。各細径管（92,93,94）の他端は、第１ヘッダ集合管（31）の下側空間（S54）に接続され、対応する連通空間（S54a,S54b,S54c）の下端寄りの部分に開口している。つまり、第１細径管（92）は第１連通空間（S54a）の下端寄りの部分に開口し、第２細径管（93）は第２連通空間（S54b）の下端寄りの部分に開口し、第３細径管（94）は第３連通空間（S54c）の下端寄りの部分に開口している。なお、各細径管（92,93,94）の長さは、各補助熱交換部（42a,42b,42c）へ流入する冷媒の流量の差がなるべく小さくなるように、個別に設定されている。
【０１２９】
ガス側接続部材（95）は、比較的大径の１つの配管で構成されている。ガス側接続部材（95）は、一端が第１ガス側配管（21）に接続され、他端が第１ヘッダ集合管（31）における上側空間（S53）に接続されている。ガス側接続部材（95）の他端は、第１ヘッダ集合管（31）の上端寄りの部分に開口している。
【０１３０】
また、上記熱交換器（30）では、主熱交換部（41）と補助熱交換部（42）とが、それぞれの扁平管（主扁平管（33a）及び補助扁平管（33b））の一端が第２ヘッダ集合管（32）によって接続されて連通し、１つの折返し流路（40）を構成している。
【０１３１】
このような構成により、実施形態５の熱交換器（30）では、冷房運転中には、図１７に示した矢印の方向に冷媒が流れる。また、暖房運転中は、図１７に示した矢印とは逆方向に冷媒が流れる。また、実施形態５においても、主扁平管（33a）と補助扁平管（33b）とには、異なる温度の流体が流れることとなる。
【０１３２】
具体的には、上記熱交換器（30）が凝縮器として機能する冷房運転時には、圧縮機（11）の吐出冷媒は、ガス側接続部材（95）を介して第１ヘッダ集合管（31）の上側空間（S53）に流入し、該上側空間（S53）にそれぞれ連通する複数の主扁平管（33a）に分流される。各主扁平管（33a）に流入した冷媒は、該各主扁平管（33a）を通過する際に室外空気に放熱して凝縮する。第１主熱交換部（41a）の主扁平管（33a）を通過した冷媒は、第２ヘッダ集合管（32）の第３連通空間（S52c）に流入し、第１主熱交換部（41a）と対になる第３補助熱交換部（42c）の複数の補助扁平管（33b）に分流される。第２主熱交換部（41b）の主扁平管（33a）を通過した冷媒は、第２ヘッダ集合管（32）の第２連通空間（S52b）に流入し、第２主熱交換部（41b）と対になる第２補助熱交換部（42b）の複数の補助扁平管（33b）に分流される。第３主熱交換部（41c）の主扁平管（33a）を通過した冷媒は、第２ヘッダ集合管（32）の第１連通空間（S52a）に流入し、第３主熱交換部（41c）と対になる第１補助熱交換部（42a）の複数の補助扁平管（33b）に分流される。各補助扁平管（33b）に流入した冷媒は、該各補助扁平管（33b）を通過する際にさらに室外空気に放熱して過冷却状態となる。過冷却状態となった冷媒は、第１ヘッダ集合管（31）の第１〜第３連通空間（S54a〜S54c）にそれぞれ流入した後、液側接続部材（90）を介して液側配管（23）に流出する。このようにして、冷房運転時には、各主熱交換部（41a,41b,41c）において凝縮した冷媒が対となる各補助熱交換部（42a,42b,42c）において過冷却状態となることによって、補助扁平管（33b）を流れる冷媒の温度が主扁平管（33a）を流れる冷媒の温度よりも低くなる。
【０１３３】
一方、上記熱交換器（30）が蒸発器として機能する暖房運転時には、圧縮機（11）の吐出冷媒は、液側接続部材（90）を介して第１ヘッダ集合管（31）の第１〜第３連通空間（S54a〜S54c）に流入し、該各連通空間（S54a,S54b,S54c）にそれぞれ連通する複数の補助扁平管（33b）に分流される。各補助扁平管（33b）に流入した冷媒は、該各補助扁平管（33b）を通過する際に室外空気から吸熱して蒸発する。第１補助熱交換部（42a）の補助扁平管（33b）を通過した冷媒は、第２ヘッダ集合管（32）の第１連通空間（S52a）に流入し、第１補助熱交換部（42a）と対になる第３主熱交換部（41c）の複数の主扁平管（33a）に分流される。第２補助熱交換部（42b）の補助扁平管（33b）を通過した冷媒は、第２ヘッダ集合管（32）の第２連通空間（S52b）に流入し、第２補助熱交換部（42b）と対になる第２主熱交換部（41b）の複数の主扁平管（33a）に分流される。第３補助熱交換部（42c）の補助扁平管（33b）を通過した冷媒は、第２ヘッダ集合管（32）の第３連通空間（S32c）に流入し、第３補助熱交換部（42c）と対になる第１主熱交換部（41a）の複数の主扁平管（33a）に分流される。各主扁平管（33a）に流入した冷媒は、該各主扁平管（33a）を通過する際にさらに室外空気から吸熱して過熱状態となる。過熱状態となった冷媒は、第１ヘッダ集合管（31）の上側空間（S53）に流入して合流した後、ガス側接続部材（95）を介して第１ガス側配管（21）に流出する。このようにして、暖房運転時には、各補助熱交換部（42a,42b,42c）において蒸発した冷媒が各主熱交換部（41a,41b,41c）において過熱状態となることによって、主扁平管（33a）を流れる冷媒の温度が補助扁平管（33b）を流れる冷媒の温度よりも高くなる。
【０１３４】
また、実施形態５においても実施形態１と同様に、相隣る主扁平管（33a）及び補助扁平管（33b）との間に設けられたフィン（36）の板状片部（36a）が、下端が下側の扁平管（33）に接合される一方、上端が上側の扁平管（33）に接合されていない非接合フィン部（39）に構成され、その他の部分に設けられるフィン（36）の板状片部（36a）が、両端が上下両側の扁平管（33）にそれぞれ接合される接合フィン部（38）に構成されている。
【０１３５】
具体的には、図１８に示すように、上下方向に配置された主熱交換部（41）と補助熱交換部（42）との間、即ち、下から１０本目の主扁平管（33a）と下から９本目の補助扁平管（33b）との間に設けられるフィン（36）の各板状片部（36a）は、下端が補助扁平管（33b）に接合される一方、上端が主扁平管（33a）に接合されていない非接合フィン部（39）に構成されている。一方、各熱交換部（41,42）の相隣る扁平管（33）の間に設けられるフィン（36）の各板状片部（36a）は、両端が上下両側の扁平管（33）にそれぞれ接合される接合フィン部（38）に構成されている。
【０１３６】
このような構成により、実施形態５においても、実施形態１と同様に、相隣る主扁平管（33a）及び補助扁平管（33b）を流れる流体どうしがフィン（36）を介して熱交換することを抑制することができる。従って、熱交換器（30）の性能低下を抑制することができる。
【０１３７】
《発明の実施形態６》
図１９乃至図２２に示すように、実施形態６は、実施形態１の熱交換器（30）の構成を変更したものである。
【０１３８】
実施形態６では、熱交換器（30）は、実施形態１と同様に、第１ヘッダ集合管（31）と、第２ヘッダ集合管（32）と、多数の扁平管（33）と、多数のフィン（36）とを備えている。第１ヘッダ集合管（31）と第２ヘッダ集合管（32）と扁平管（33）は、実施形態１と同様に構成されている。また、図２０に示すように、実施形態６においても、実施形態１と同様に、熱交換器（30）の複数の扁平管（33）は、異なる温度の流体が流れる主熱交換部（41）と補助熱交換部（42）とに区分されている。具体的には、仕切板（35）よりも上側の部分が主熱交換部（41）を構成し、仕切板（35）よりも下側の部分が補助熱交換部（42）を構成している。なお、以下では、複数の扁平管（33）のうち、主熱交換部（41）の扁平管（33）を主扁平管（33a）と称し、補助熱交換部（42）の扁平管（33）を補助扁平管（33b）と称する。
【０１３９】
図２２に示すように、実施形態６では、上記フィン（36）は、一定幅の金属板を折り曲げることによって形成された上下に蛇行するコルゲートフィンによって構成されている。図１９及び図２０に示すように、フィン（36）は、上下に相隣る扁平管（33）の間に配置されている。フィン（36）は、上下に相隣る扁平管（33）の一方側から他方側に延びる板状片部（36a）と、上記扁平管（33）に沿う方向に延びて該扁平管（33）を取り付けるための連結部（36b）とを複数ずつ有している。複数の板状片部（36a）と複数の連結部（36b）とは、それぞれ板状に形成され、扁平管（33）の伸長方向に沿って交互に連続するように形成されている。上記扁平管（33）は、複数の連結部（36b）に接触して、該連結部（36b）にロウ付けによって接合されることによってフィン（36）に取り付けられる。
【０１４０】
上記板状片部（36a）は、相隣る扁平管（33）の間において該両扁平管（33）に直交する方向に延びている。一方、上記連結部（36b）は、扁平管（33）の平坦な側面に沿った板状の部分であって、左右に相隣る板状片部（36a）の上端同士または下端同士に連続している。板状片部（36a）と連結部（36b）のなす角度は、概ね直角となっている。
【０１４１】
図２１に示すように、板状片部（36a）には、複数のルーバー（50）が形成されている。各ルーバー（50）は、図２４に示すように、板状片部（36a）を切り起こすことによって形成されている。つまり、各ルーバー（50）は、板状片部（36a）に複数のスリット状の切り込みを入れ、相隣る切り込みの間の部分を捩るように塑性変形させることによって形成されている。
【０１４２】
上記ルーバー（50）は、図２３に示すように、長手方向が板状片部（36a）の前縁（37）と実質的に平行となるように形成されている。つまり、各ルーバー（50）の長手方向は上下方向となっている。そして、複数のルーバー（50）は、風上側から風下側へ向かって並んで形成されている。
【０１４３】
上記板状片部（36a）の風下側の端部には、導水用リブ（49）が形成されている。導水用リブ（49）は、板状片部（36a）の風下側の端部に沿って上下に延びる細長い凹溝である。
【０１４４】
このように構成されたフィン（36）により、図２０に示すように、熱交換器（30）では、上下に相隣る扁平管（33）の間の空間が、複数の通風路（44）に区画される。熱交換器（30）は、扁平管（33）の流体通路（34）を流れる冷媒を、通風路（44）を流れる空気と熱交換させる。
【０１４５】
以上の構成により、実施形態６の熱交換器（30）においても、実施形態１と同様に、冷房運転中には、図１に示した矢印の方向に冷媒が流れる。また、暖房運転中は、図２に示した矢印の方向に冷媒が流れる。また、実施形態６においても、主扁平管（33a）と補助扁平管（33b）とには、異なる温度の流体が流れることとなる。
【０１４６】
また、本実施形態６においても、実施形態１と同様に、相隣る主扁平管（33a）及び補助扁平管（33b）との間に設けられたフィン（36）の板状片部（36a）が、下端が下側の扁平管（33）に接合される一方、上端が上側の扁平管（33）に接合されていない非接合フィン部（39）に構成され、その他の部分に設けられるフィン（36）の板状片部（36a）が、両端が上下両側の扁平管（33）にそれぞれ接合される接合フィン部（38）に構成されている。
【０１４７】
具体的には、図２０に示すように、上下方向に配置された主熱交換部（41）と補助熱交換部（42）との間、即ち、下から４本目の主扁平管（33a）と下から３本目の補助扁平管（33b）との間に設けられるフィン（36）の各板状片部（36a）は、下端が補助扁平管（33b）に接合される一方、上端が主扁平管（33a）に接合されていない非接合フィン部（39）に構成されている。一方、主熱交換部（41）及び補助熱交換部（42）のそれぞれにおいて相隣る扁平管（33）の間に設けられるフィン（36）の各板状片部（36a）は、両端が上下両側の扁平管（33）にそれぞれ接合される接合フィン部（38）に構成されている。
【０１４８】
より具体的には、下から４本目の主扁平管（33a）と下から３本目の補助扁平管（33b）との間に設けられるフィン（36）は、左右に相隣る板状片部（36a）の下端同士を連結する連結部（36b）が下側の補助扁平管（33b）にロウ付けによって接合される一方、左右に相隣る板状片部（36a）の上端同士を連結する連結部（36b）が上側の主扁平管（33a）にロウ付けによって接合されないように構成されている。一方、主熱交換部（41）及び補助熱交換部（42）のそれぞれにおいて相隣る扁平管（33）の間に設けられるフィン（36）は、左右に相隣る板状片部（36a）の下端同士を連結する連結部（36b）が下側の補助扁平管（33b）にロウ付けによって接合されると共に、左右に相隣る板状片部（36a）の上端同士を連結する連結部（36b）が上側の主扁平管（33a）にロウ付けによって接合されるように構成されている。
【０１４９】
このような構成により、実施形態６においても、実施形態１と同様に、相隣る主扁平管（33a）及び補助扁平管（33b）を流れる流体どうしがフィン（36）を介して熱交換することを抑制することができる。従って、熱交換器（30）の性能低下を抑制することができる。
【０１５０】
《その他の実施形態》
上記実施形態２〜６の各熱交換器（30）について、実施形態１の変形例で説明したように、相隣る主扁平管（33a）及び補助扁平管（33b）が連結されて構成される折返し流路（40）の流体の出入口領域（A1）のみに非接合フィン部（39）を設けることとしてもよい。
【０１５１】
また、上記各実施形態では、非接合フィン部（39）を、下端が下側の扁平管（33）に接合される一方、上端が上側の扁平管（33）に接合されないように構成していた。しかしながら、各実施形態において、非接合フィン部（39）は、上端が上側の扁平管（33）に接合される一方、下端が下側の扁平管（33）に接合されないように構成されていても勿論よい。
【０１５２】
また、上記各実施形態では、非接合フィン部（39）を、相隣る主扁平管（33a）及び補助扁平管（33b）に対向する両端のうちの一端のみが対向する扁平管（33）に接合されないように構成していた。しかしながら、実施形態１〜５では、非接合フィン部（39）は、相隣る主扁平管（33a）及び補助扁平管（33b）に対向する両端が共に対向する扁平管（33）に接合されないように構成されていてもよい。
【０１５３】
上記構成は、以下のようにしてロウ付けを行うことによって形成される。図２５に示すように、まず、主熱交換部（41）と補助熱交換部（42）との間、即ち、相隣る主扁平管（33a）と補助扁平管（33b）との間に設けられたフィン（36）の板状片部（36a）を除く全ての板状片部（36a）とその両側の扁平管（33）との間にロウ材を配置する一方、相隣る主扁平管（33a）と補助扁平管（33b）との間に設けられたフィン（36）の板状片部（36a）とその両側の扁平管（33）との間にロウ材を配置しない状態でロウ付けを行う。これにより、相隣る主扁平管（33a）と補助扁平管（33b）との間に設けられたフィン（36）の板状片部（36a）が、相隣る主扁平管（33a）及び補助扁平管（33b）に対向する両端が両扁平管（33a,33b）に接合されない非接合フィン部（39）に構成され、それ以外の板状片部（36a）が接合フィン部（38）に構成されることとなる。
【０１５４】
上記構成によれば、非接合フィン部（39）の両側の扁平管（33a,33b）の内部の流体の熱が非接合フィン部（39）に伝達され難くなる。そのため、非接合フィン部（39）の両側の扁平管（33）の内部を流れる流体どうしの熱交換が抑制される。よって、相隣る主扁平管（33a）及び補助扁平管（33b）の内部を流れる流体どうしの熱交換を抑制することができる。つまり、非接合フィン部（39）を、相隣る主扁平管（33a）及び補助扁平管（33b）に対向する両端が両扁平管（33a,33b）に接合されないように構成することとしても、上記実施形態１〜５と同様の効果を奏することとなる。
【０１５５】
また、上記各実施形態では、主熱交換部（41）と補助熱交換部（42）とが折返し流路（40）を構成していたが、主熱交換部（41）と補助熱交換部（42）とは、このように折返し流路（40）を構成しないものであってもよい。例えば、主熱交換部（41）と補助熱交換部（42）とは、主扁平管（33a）と補助扁平管（33b）とが連通しないように構成されて、両扁平管（33a,33b）のそれぞれに異なる温度の流体が流れるように構成されたものであってもよい。
【０１５６】
なお、以下の実施形態は、本質的に好ましい例示であって、本発明、その適用物、あるいはその用途の範囲を制限することを意図するものではない。
【産業上の利用可能性】
【０１５７】
本発明は、扁平管とフィンとを備え、扁平管内を流れる流体を空気と熱交換させる熱交換器について有用である。
【符号の説明】
【０１５８】
１      空気調和機
１０      冷媒回路
３０      熱交換器
３３      扁平管
３６      フィン
３９      非接合フィン部
４０      折返し流路
４１      主熱交換部
４２      補助熱交換部
４４      通風路
４５      切欠部
Ａ１      出入口領域
【図１】
2012193872.tif 000003
【図２】
2012193872.tif 000004
【図３】
2012193872.tif 000005
【図４】
2012193872.tif 000006
【図５】
2012193872.tif 000007
【図６】
2012193872.tif 000008
【図７】
2012193872.tif 000009
【図８】
2012193872.tif 000010
【図９】
2012193872.tif 000011
【図１０】
2012193872.tif 000012
【図１１】
2012193872.tif 000013
【図１２】
2012193872.tif 000014
【図１３】
2012193872.tif 000015
【図１４】
2012193872.tif 000016
【図１５】
2012193872.tif 000017
【図１６】
2012193872.tif 000018
【図１７】
2012193872.tif 000019
【図１８】
2012193872.tif 000020
【図１９】
2012193872.tif 000021
【図２０】
2012193872.tif 000022
【図２１】
2012193872.tif 000023
【図２２】
2012193872.tif 000024
【図２３】
2012193872.tif 000025
【図２４】
2012193872.tif 000026
【図２５】
2012193872.tif 000027